Podtech/llm-jp-corpus-v4-ja_patent huggingface dataset:
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
可変表示の表示結果が特定表示結果となったことに基づいて遊技者にとって有利な有利状態に制御可能な遊技機であって、
複数種類の装飾識別情報を可変表示可能な装飾識別情報可変表示手段と、
複数種類の装飾識別情報の可変表示に対応して、装飾識別情報の表示サイズよりも小さい表示サイズで複数種類の特定識別情報を可変表示可能な特定識別情報可変表示手段と、
を備え、
装飾識別情報は、数字を含む複数種類の数字装飾識別情報と、該数字装飾識別情報とは異なる複数種類の特殊装飾識別情報とを含み、
特定識別情報は、複数種類の数字装飾識別情報の各々に対応した数字を含む複数種類の数字特定識別情報と、該数字特定識別情報とは異なる特殊特定識別情報とを含み、
前記装飾識別情報可変表示手段は、
装飾識別情報の可変表示がリーチ態様であるときに、当該装飾識別情報の表示位置を変化させて当該装飾識別情報を可変表示可能であり、
装飾識別情報の可変表示がリーチ態様であるときに、当該装飾識別情報の表示サイズを変化させて当該装飾識別情報を可変表示可能であり、
前記特定識別情報可変表示手段は、
装飾識別情報の可変表示がリーチ態様であるときに、特定識別情報の表示位置を変化させることなく特定識別情報の可変表示を継続し、
装飾識別情報の可変表示がリーチ態様であるときに、特定識別情報の表示サイズを変化させることなく特定識別情報の可変表示を継続し、
数字装飾識別情報と特殊装飾識別情報との組合せで装飾識別情報の可変表示が停止したときに、該停止した数字装飾識別情報の種類に対応した数字特定識別情報を停止させ、該停止した特殊装飾識別情報が第１種類のときと前記第１種類とは異なる第２種類のときとで共通の特殊特定識別情報を停止させ、
特殊装飾識別情報の仮停止表示後に所定演出を実行可能な所定演出実行手段をさらに備え、
前記所定演出実行手段は、仮停止表示される特殊装飾識別情報の種類に応じて、演出態様が異なる前記所定演出を実行可能である、
ことを特徴とする、遊技機。
【手続補正２】
【補正対象書類名】明細書
【補正対象項目名】０００６
【補正方法】変更
【補正の内容】
【０００６】
（Ａ）  可変表示の表示結果が特定表示結果となったことに基づいて遊技者にとって有利な有利状態に制御可能な遊技機であって、
複数種類の装飾識別情報を可変表示可能な装飾識別情報可変表示手段と、
複数種類の装飾識別情報の可変表示に対応して、装飾識別情報の表示サイズよりも小さい表示サイズで複数種類の特定識別情報を可変表示可能な特定識別情報可変表示手段と、
を備え、
装飾識別情報は、数字を含む複数種類の数字装飾識別情報と、該数字装飾識別情報とは異なる複数種類の特殊装飾識別情報とを含み、
特定識別情報は、複数種類の数字装飾識別情報の各々に対応した数字を含む複数種類の数字特定識別情報と、該数字特定識別情報とは異なる特殊特定識別情報とを含み、
前記装飾識別情報可変表示手段は、
装飾識別情報の可変表示がリーチ態様であるときに、当該装飾識別情報の表示位置を変化させて当該装飾識別情報を可変表示可能であり、
装飾識別情報の可変表示がリーチ態様であるときに、当該装飾識別情報の表示サイズを変化させて当該装飾識別情報を可変表示可能であり、
前記特定識別情報可変表示手段は、
装飾識別情報の可変表示がリーチ態様であるときに、特定識別情報の表示位置を変化させることなく特定識別情報の可変表示を継続し、
装飾識別情報の可変表示がリーチ態様であるときに、特定識別情報の表示サイズを変化させることなく特定識別情報の可変表示を継続し、
数字装飾識別情報と特殊装飾識別情報との組合せで装飾識別情報の可変表示が停止したときに、該停止した数字装飾識別情報の種類に対応した数字特定識別情報を停止させ、該停止した特殊装飾識別情報が第１種類のときと前記第１種類とは異なる第２種類のときとで共通の特殊特定識別情報を停止させ、
特殊装飾識別情報の仮停止表示後に所定演出を実行可能な所定演出実行手段をさらに備え、
前記所定演出実行手段は、仮停止表示される特殊装飾識別情報の種類に応じて、演出態様が異なる前記所定演出を実行可能である、
ことを特徴とする。
（１）  可変表示（特別図柄、飾り図柄、小図柄等）の表示結果が特定表示結果となったことに基づいて遊技者にとって有利な有利状態（大当り遊技状態等）に制御可能な遊技機（パチンコ遊技機１等）であって、
装飾識別情報（飾り図柄５１，５２，５３等）を可変表示可能な装飾識別情報可変表示手段（飾り図柄表示領域５０）と、
装飾識別情報の可変表示に対応して特定識別情報（小図柄６１，６２，６３等）を可変表示可能な特定識別情報可変表示手段（小図柄表示結果領域６０等）とを備え、
前記特定識別情報可変表示手段は、複数種類の特殊装飾識別情報（第１ブランク図柄「△」，第２ブランク図柄「☆」等）に対応して一の特定識別情報（小図柄「△」等）を表示可能である（図８−１（Ｂ）、図８−３（Ｅ），（Ｈ）等）。
【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技用価値を記憶する遊技用価値記憶手段と、
遊技者の特定操作に基づき前記遊技用価値記憶手段に記憶されている遊技用価値を精算する精算手段と、
音を出力可能な音出力手段と、
遊技者の音量設定操作に基づき前記音出力手段から出力する音の音量を設定可能な音量設定手段と、
メニュー画面を表示することが可能な表示手段と、を備え、
前記音出力手段は、前記表示手段に前記メニュー画面が表示されているときに音を出力可能であり、
前記表示手段に前記メニュー画面が表示されていない場合に前記特定操作が行われたことに基づいて前記音量が初期化される一方で、前記表示手段に前記メニュー画面が表示されている場合に前記特定操作が行われたことに基づいて前記音量が初期化されない、遊技機。
【手続補正２】
【補正対象書類名】明細書
【補正対象項目名】０００７
【補正方法】変更
【補正の内容】
【０００７】
（Ａ）  遊技を行うことが可能な遊技機であって、
遊技用価値を記憶する遊技用価値記憶手段と、
遊技者の特定操作に基づき前記遊技用価値記憶手段に記憶されている遊技用価値を精算する精算手段と、
音を出力可能な音出力手段と、
遊技者の音量設定操作に基づき前記音出力手段から出力する音の音量を設定可能な音量設定手段と、
メニュー画面を表示することが可能な表示手段と、を備え、
前記音出力手段は、前記表示手段に前記メニュー画面が表示されているときに音を出力可能であり、
前記表示手段に前記メニュー画面が表示されていない場合に前記特定操作が行われたことに基づいて前記音量が初期化される一方で、前記表示手段に前記メニュー画面が表示されている場合に前記特定操作が行われたことに基づいて前記音量が初期化されない。
（１）  遊技を行うことが可能な遊技機（たとえば、スロットマシンやパチンコ遊技機で例示される遊技機１）であって、
遊技用価値（たとえば、メダルやクレジット、遊技球）を記憶する遊技用価値記憶手段（たとえば、メイン制御部４１のＲＡＭ４１ｃ）と、
遊技者の特定操作（たとえば、精算スイッチ１０の操作）に基づき前記遊技用価値記憶手段に記憶されている遊技用価値を精算する精算手段（たとえば、精算スイッチ１０）と、
演出（たとえば、スピーカ５３やＬＥＤ５２を用いた演出）を実行する演出実行手段（たとえば、サブ制御部９１が演出を実行する処理）と、
遊技者の所定操作（たとえば、演出用ボタン５６，十字キー５７の操作）に基づき演出に関する設定（たとえば、演出設定（音量設定、光量設定））を行う演出設定手段（たとえば、サブ制御部９１による演出設定処理）と、
メニュー画面（たとえば、図５（ｅ）のメニュー画面）を表示することが可能な表示手段（たとえば、液晶表示器５１）とを備え、
前記演出実行手段は、前記表示手段に前記メニュー画面が表示されているときに演出を実行可能であり（たとえば、図５（ｅ）に示すように、液晶表示器５１にメニュー画面が表示されているときに、スピーカ５３やＬＥＤ５２を用いた演出を実行可能である）、
所定条件（たとえば、図３のＳａ２でＹＥＳ，Ｓａ４でＹＥＳ）が成立したときには前記演出に関する設定が初期化される一方で（たとえば、単位遊技が終了してから１分経過したとき（図５（ａ），（ｂ））や、液晶表示器５１にメニュー画面が表示されていない場合に精算操作が行われたとき（図５（ａ），（ｃ），（ｄ））には、光量設定および音量設定は初期化される）、前記表示手段に前記メニュー画面が表示されている場合に前記特定操作が行われたとき（たとえば、図３のＳａ３でＹＥＳのとき）には前記演出に関する設定が初期化されない（たとえば、図５（ｆ）〜（ｈ）に示すように、液晶表示器５１にメニュー画面が表示されている場合に精算操作が行われたときには、光量設定および音量設定は初期化されない）、遊技機。
【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
配線パターンが形成された基板を備え、
前記基板には、特定方向に離れた第１端子と第２端子を接続し、特定信号の送信に用いられる特定配線パターンが形成され、
前記特定配線パターンは、前記特定方向に延びる直線の配線パターンからなる複数の配線パターンに分割して形成され、
前記特定方向に延びる直線の配線パターンは各々特定長さよりも短く形成され、
前記基板には、第１電圧の信号を伝達する配線パターンが接続され、記憶手段を有するマイクロコンピュータと、第２電圧の信号を伝達する配線パターンが接続され、出力部品に信号出力する出力回路と、が実装され、
前記マイクロコンピュータは第１グランドに接続され、前記出力回路は前記第１グランドと絶縁部によって隔てられた第２グランドに接続され、
前記マイクロコンピュータは、特定電源により前記記憶手段の記憶内容を保持可能であり、
前記特定電源を前記マイクロコンピュータへ供給する配線パターンは、前記第２グラン
ドが形成される第２グランド領域に接することなく、前記第１グランドが形成される第１グランド領域のみに接する領域に形成されている、遊技機。
【手続補正２】
【補正対象書類名】明細書
【補正対象項目名】０００６
【補正方法】変更
【補正の内容】
【０００６】
手段１の遊技機は、
遊技が可能な遊技機であって、
配線パターンが形成された基板（遊技制御基板）を備え、
前記基板（遊技制御基板）には、特定方向（左右方向）に離れた第１端子（遊技制御用マイクロコンピュータの端子）と第２端子（入力回路、出力回路の端子）を接続し、特定信号（入力データ、出力データ）の送信に用いられる特定配線パターン（データバス）が形成され、
前記特定配線パターン（データバス）は、前記特定方向（左右方向）に延びる直線の配線パターンからなる複数の配線パターンに分割して形成され、
前記特定方向（左右方向）に延びる直線の配線パターンは各々特定信号（入力データ、出力データ）の周波数（バスクロック）に応じたアンテナ長である特定長さ（２／λ）よりも短く形成され、
前記基板には、第１電圧の信号を伝達する配線パターンが接続され、記憶手段を有するマイクロコンピュータと、第２電圧の信号を伝達する配線パターンが接続され、出力部品に信号出力する出力回路と、が実装され、
前記マイクロコンピュータは第１グランドに接続され、前記出力回路は前記第１グランドと絶縁部によって隔てられた第２グランドに接続され、
前記マイクロコンピュータは、特定電源により前記記憶手段の記憶内容を保持可能であり、
前記特定電源を前記マイクロコンピュータへ供給する配線パターンは、前記第２グラン
ドが形成される第２グランド領域に接することなく、前記第１グランドが形成される第１グランド領域のみに接する領域に形成されている、
ことを特徴としている。
この特徴によれば、特定配線パターンが特定方向に延びる直線の配線パターンからなる複数の配線パターンに分割して形成され、特定方向に延びる直線の配線パターンは各々特定信号の周波数に応じたアンテナ長である特定長さよりも短く形成されることで、特定配線パターンが特定信号の周波数に応じたアンテナ長となることを防止し、意図しない電波を発してしまうことを防止できる。
【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
配線パターンが形成された基板を備え、
前記基板には、第１電圧の信号が伝達される配線パターンが接続され、記憶手段を有するマイクロコンピュータと、第２電圧の信号が伝達される配線パターンが接続され、出力部品に信号出力する出力回路と、が実装され、
前記マイクロコンピュータは第１グランドに接続され、前記出力回路は前記第１グランドと絶縁部によって隔てられた第２グランドに接続され、
前記マイクロコンピュータは、特定電源により前記記憶手段の記憶内容を保持可能であり、
前記特定電源を前記マイクロコンピュータへ供給する配線パターンは、
前記基板の一面のみに形成され、
前記第２グランドが形成される第２グランド領域に接することなく、前記第１グランドが形成される第１グランド領域のみに接する領域に形成されている、遊技機。
【手続補正２】
【補正対象書類名】明細書
【補正対象項目名】０００６
【補正方法】変更
【補正の内容】
【０００６】
（Ａ）  遊技が可能な遊技機であって、
配線パターンが形成された基板を備え、
前記基板には、第１電圧の信号が伝達される配線パターンが接続され、記憶手段を有するマイクロコンピュータと、第２電圧の信号が伝達される配線パターンが接続され、出力部品に信号出力する出力回路と、が実装され、
前記マイクロコンピュータは第１グランドに接続され、前記出力回路は前記第１グランドと絶縁部によって隔てられた第２グランドに接続され、
前記マイクロコンピュータは、特定電源により前記記憶手段の記憶内容を保持可能であり、
前記特定電源を前記マイクロコンピュータへ供給する配線パターンは、
前記基板の一面のみに形成され、
前記第２グランドが形成される第２グランド領域に接することなく、前記第１グランドが形成される第１グランド領域のみに接する領域に形成されている。
手段１の遊技機は、
遊技が可能な遊技機であって、
配線パターンが形成された基板（遊技制御基板）を備え、
前記基板（遊技制御基板）には、第１電圧（Ｖｃｃ（＋５Ｖ））の信号が伝達される配線パターンが接続される第１電子部品（低電圧部品）と、第２電圧（ＶＤＬ（＋２４Ｖ））の信号が伝達される配線パターンが接続される第２電子部品（高電圧部品）と、が実装され、
前記第１電子部品（低電圧部品）は第１グランド領域に接続され、前記第２電子部品（高電圧部品）は前記第１グランド領域と絶縁部（絶縁領域）によって隔てられた第２グランド領域に接続される
ことを特徴としている。
この特徴によれば、第１電圧の信号が伝達される配線パターンが接続される第１電子部品は第１グランド領域に接続され、第２電圧の信号が伝達される配線パターンが接続される第２電子部品は第１グランド領域と絶縁部によって隔てられた第２グランド領域に接続されるので、グランドを介して意図しない電流が逆流してしまうことを防止できる。
【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技用価値を記憶する遊技用価値記憶手段と、
遊技者の特定操作に基づき前記遊技用価値記憶手段に記憶されている遊技用価値を精算する精算手段と、
メニュー画面を表示することが可能な表示手段と、
音を出力可能な音出力手段と、
遊技者の音量設定操作に基づき前記音出力手段から出力する音の音量を設定可能な音量設定手段と、を備え、
前記表示手段に前記メニュー画面が表示されていない場合に前記特定操作が行われたことに基づいて前記音量が初期化される一方で、前記表示手段に前記メニュー画面が表示されている場合に前記特定操作が行われたことに基づいて前記音量が初期化されず、
前記表示手段に前記メニュー画面が表示されていない場合に前記特定操作が行われたことに基づいて遊技が行われていないことを示す非遊技状態演出が実行される一方で、前記表示手段に前記メニュー画面が表示されている場合に前記特定操作が行われたことに基づいて前記非遊技状態演出が実行されない、遊技機。
【手続補正２】
【補正対象書類名】明細書
【補正対象項目名】０００７
【補正方法】変更
【補正の内容】
【０００７】
（Ａ）  遊技を行うことが可能な遊技機であって、
遊技用価値を記憶する遊技用価値記憶手段と、
遊技者の特定操作に基づき前記遊技用価値記憶手段に記憶されている遊技用価値を精算する精算手段と、
メニュー画面を表示することが可能な表示手段と、
音を出力可能な音出力手段と、
遊技者の音量設定操作に基づき前記音出力手段から出力する音の音量を設定可能な音量設定手段と、を備え、
前記表示手段に前記メニュー画面が表示されていない場合に前記特定操作が行われたことに基づいて前記音量が初期化される一方で、前記表示手段に前記メニュー画面が表示されている場合に前記特定操作が行われたことに基づいて前記音量が初期化されず、
前記表示手段に前記メニュー画面が表示されていない場合に前記特定操作が行われたことに基づいて遊技が行われていないことを示す非遊技状態演出が実行される一方で、前記表示手段に前記メニュー画面が表示されている場合に前記特定操作が行われたことに基づいて前記非遊技状態演出が実行されない。
（１）  遊技を行うことが可能な遊技機（たとえば、スロットマシンやパチンコ遊技機で例示される遊技機１）であって、
遊技用価値（たとえば、メダルやクレジット、遊技球）を記憶する遊技用価値記憶手段（たとえば、メイン制御部４１のＲＡＭ４１ｃ）と、
遊技者の特定操作（たとえば、精算スイッチ１０の操作）に基づき前記遊技用価値記憶手段に記憶されている遊技用価値を精算する精算手段（たとえば、精算スイッチ１０）と、
メニュー画面（たとえば、図５（ｅ）のメニュー画面）を表示することが可能な表示手段（たとえば、液晶表示器５１）とを備え、
特定条件（たとえば、図４のＳｂ２でＹＥＳ，Ｓｂ４でＹＥＳ）が成立したときには遊技が行われていないことを示す非遊技状態演出（たとえば、デモ演出）が実行される一方で（たとえば、単位遊技が終了してから１分経過したとき（図５（ａ），（ｂ））や、液晶表示器５１にメニュー画面が表示されていない場合に精算操作が行われたとき（図５（ａ），（ｃ），（ｄ））には、デモ演出が実行される）、前記表示手段に前記メニュー画面が表示されている場合に前記特定操作が行われたとき（たとえば、図４のＳｂ３でＹＥＳのとき）には前記非遊技状態演出が実行されない（たとえば、図５（ｆ）〜（ｈ）に示すように、液晶表示器５１にメニュー画面が表示されている場合に精算操作が行われたときには、デモ演出が実行されない）、遊技機。
【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
第１面と第２面に配線パターンが形成された基板を備え、
前記第１面に形成される配線パターンは、第１方向に延びる配線パターンの割合が前記第１方向と異なる第２方向に延びる配線パターンの割合よりも多く、
前記第２面に形成される配線パターンは、前記第２方向に延びる配線パターンの割合が前記第１方向に延びる配線パターンの割合よりも多く、
前記基板には、第１電圧の信号を伝達する配線パターンが接続され、記憶手段を有するマイクロコンピュータと、第２電圧の信号を伝達する配線パターンが接続され、出力部品に信号出力する出力回路と、が実装され、
前記マイクロコンピュータは第１グランドに接続され、前記出力回路は前記第１グランドと絶縁部によって隔てられた第２グランドに接続され、
前記マイクロコンピュータは、特定電源により前記記憶手段の記憶内容を保持可能であり、
前記特定電源を前記マイクロコンピュータへ供給する配線パターンは、前記第２グラン
ドが形成される第２グランド領域に接することなく、前記第１グランドが形成される第１グランド領域のみに接する領域に形成されている、遊技機。
【手続補正２】
【補正対象書類名】明細書
【補正対象項目名】０００６
【補正方法】変更
【補正の内容】
【０００６】
手段１の遊技機は、
遊技が可能な遊技機であって、
第１面（実装面）と第２面（ハンダ面）に配線パターンが形成された基板（遊技制御基板）を備え、
前記第１面（実装面）に形成される配線パターンは、第１方向（上下方向）に延びる配線パターンの割合が前記第１方向と異なる第２方向（左右方向）に延びる配線パターンの割合よりも多く、
前記第２面（ハンダ面）に形成される配線パターンは、前記第２方向（左右方向）に延びる配線パターンの割合が前記第１方向（上下方向）に延びる配線パターンの割合よりも多く、
前記基板には、第１電圧の信号を伝達する配線パターンが接続され、記憶手段を有するマイクロコンピュータと、第２電圧の信号を伝達する配線パターンが接続され、出力部品に信号出力する出力回路と、が実装され、
前記マイクロコンピュータは第１グランドに接続され、前記出力回路は前記第１グランドと絶縁部によって隔てられた第２グランドに接続され、
前記マイクロコンピュータは、特定電源により前記記憶手段の記憶内容を保持可能であり、
前記特定電源を前記マイクロコンピュータへ供給する配線パターンは、前記第２グラン
ドが形成される第２グランド領域に接することなく、前記第１グランドが形成される第１グランド領域のみに接する領域に形成されている、
ことを特徴としている。
この特徴によれば、第１方向に延びる配線パターンが第１面に集約され、第２方向に延びる配線パターンが第２面に集約されることで、第１方向に延びる配線パターンと第２方向に延びる配線パターンが交差する場合に配線パターンを迂回する等の設計を極力減らすことができる。
【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
第１面と第２面に配線パターンが形成された基板を備え、
前記基板は、基板ケースに収納された状態で前記遊技機に取り付けられ、
前記基板の前記第１面には前記基板外部からの配線を取り付けるためのコネクタが実装され、
前記コネクタの端子は前記第２面に形成された配線パターンと接続され、
前記基板には、第１電圧の信号を伝達する配線パターンが接続され、記憶手段を有するマイクロコンピュータと、第２電圧の信号を伝達する配線パターンが接続され、出力部品に信号出力する出力回路と、が実装され、
前記マイクロコンピュータは第１グランドに接続され、前記出力回路は前記第１グランドと絶縁部によって隔てられた第２グランドに接続され、
前記マイクロコンピュータは、特定電源により前記記憶手段の記憶内容を保持可能であり、
前記特定電源を前記マイクロコンピュータへ供給する配線パターンは、前記第２グラン
ドが形成される第２グランド領域に接することなく、前記第１グランドが形成される第１グランド領域のみに接する領域に形成されている、遊技機。
【手続補正２】
【補正対象書類名】明細書
【補正対象項目名】０００６
【補正方法】変更
【補正の内容】
【０００６】
手段１の遊技機は、
遊技が可能な遊技機であって、
第１面（実装面）と第２面（ハンダ面）に配線パターンが形成された基板（遊技制御基板）を備え、
前記基板（遊技制御基板）は、基板ケースに収納された状態で前記遊技機に取り付けられ、
前記基板（遊技制御基板）の前記第１面（実装面）には前記基板外部からの配線を取り付けるためのコネクタ（コネクタＣＮ１〜ＣＮ７）が実装され、
前記コネクタ（コネクタＣＮ１〜ＣＮ７）の端子は前記第２面（ハンダ面）に形成された配線パターンと接続され、
前記基板には、第１電圧の信号を伝達する配線パターンが接続され、記憶手段を有するマイクロコンピュータと、第２電圧の信号を伝達する配線パターンが接続され、出力部品に信号出力する出力回路と、が実装され、
前記マイクロコンピュータは第１グランドに接続され、前記出力回路は前記第１グランドと絶縁部によって隔てられた第２グランドに接続され、
前記マイクロコンピュータは、特定電源により前記記憶手段の記憶内容を保持可能であり、
前記特定電源を前記マイクロコンピュータへ供給する配線パターンは、前記第２グラン
ドが形成される第２グランド領域に接することなく、前記第１グランドが形成される第１グランド領域のみに接する領域に形成されている、
ことを特徴としている。
この特徴によれば、コネクタの端子がコネクタが実装された第１面ではなく、反対側の第２面に形成された配線パターンと接続されるので、基板ケースよりコネクタが露呈する部分の周囲からコネクタの端子に接続される配線パターンを短絡させたり断線されたりする不正行為を防止することができる。
【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
第１面と第２面に配線パターンが形成された基板を備え、
前記基板には、第１電圧の信号を伝達する配線パターンが接続され、記憶手段を有するマイクロコンピュータと、第２電圧の信号を伝達する配線パターンが接続され、出力部品に信号出力する出力回路と、が実装され、
前記第１面に、前記マイクロコンピュータを含む複数の電子部品が搭載され、
前記第２面には、電子部品が搭載されず、
前記マイクロコンピュータは、特定電源により前記記憶手段の記憶内容を保持可能であり、
前記マイクロコンピュータは第１グランドに接続され、前記出力回路は前記第１グランドと絶縁部によって隔てられた第２グランドに接続され、
前記特定電源を前記マイクロコンピュータへ供給する配線パターンは、
前記基板の前記第２面のみに形成され、
前記第２グランドが形成される第２グランド領域に接することなく、前記第１グランドが形成される第１グランド領域のみに接する領域に形成されている、遊技機。
【手続補正２】
【補正対象書類名】明細書
【補正対象項目名】０００６
【補正方法】変更
【補正の内容】
【０００６】
（Ａ）  遊技が可能な遊技機であって、
第１面と第２面に配線パターンが形成された基板を備え、
前記基板には、第１電圧の信号を伝達する配線パターンが接続され、記憶手段を有するマイクロコンピュータと、第２電圧の信号を伝達する配線パターンが接続され、出力部品に信号出力する出力回路と、が実装され、
前記第１面に、前記マイクロコンピュータを含む複数の電子部品が搭載され、
前記第２面には、電子部品が搭載されず、
前記マイクロコンピュータは、特定電源により前記記憶手段の記憶内容を保持可能であり、
前記マイクロコンピュータは第１グランドに接続され、前記出力回路は前記第１グランドと絶縁部によって隔てられた第２グランドに接続され、
前記特定電源を前記マイクロコンピュータへ供給する配線パターンは、
前記基板の前記第２面のみに形成され、
前記第２グランドが形成される第２グランド領域に接することなく、前記第１グランドが形成される第１グランド領域のみに接する領域に形成されている。
手段１の遊技機は、
遊技が可能な遊技機であって、
第１面（実装面）と第２面（ハンダ面）に配線パターンが形成された基板（遊技制御基板）を備え、
前記第１面（実装面）には、記憶手段（ＲＡＭ）を有するマイクロコンピュータ（遊技制御用マイクロコンピュータ）を含む複数の電子部品が搭載され、
前記第２面（ハンダ面）には、電子部品が搭載されず、
前記マイクロコンピュータ（遊技制御用マイクロコンピュータ）は、配線パターンにより供給される特定電源（バックアップ電源（ＶＢＢ））により前記記憶手段（ＲＡＭ）の記憶内容を保持可能であり、
前記特定電源（バックアップ電源（ＶＢＢ））を前記マイクロコンピュータ（遊技制御用マイクロコンピュータ）へ供給する配線パターン（ＶＢＢ）は、前記第２面（ハンダ面）のみに形成されている
ことを特徴としている。
この特徴によれば、特定電源をマイクロコンピュータへ供給する配線パターンは、電子部品が搭載されない第２面のみに形成されているので、電子部品を迂回して形成する必要がなく、配線パターンの距離を短くできるため、外部からのノイズを受けにくく、ノイズによって記憶手段に記憶されているデータが破損してしまうことを防止できる。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
遊技媒体を用いた遊技が可能な遊技機であって、
遊技の進行に応じて遊技媒体を付与する遊技媒体付与手段と、
前記遊技媒体付与手段によって付与された遊技媒体の数に関する付与情報を表示可能な情報表示手段と、
前記付与情報を記憶可能な手段であって、遊技機への電力供給が停止しても記憶内容を保持可能な付与情報記憶手段と、
前記情報表示手段に表示するための表示用データを記憶可能な表示用データ記憶手段と、
前記表示用データ記憶手段における表示用データの記憶を制御する表示用データ記憶制御手段と、
特定事象の発生に応じて遊技が不能な遊技不能状態に制御可能な遊技制御手段と、
を備え、
前記情報表示手段は、
遊技機への電力供給が開始されてから所定期間に亘って該電力供給が開始されたことを報知する表示であって、前記付与情報の表示と異なる特定表示を表示可能であり、
前記遊技不能状態に制御されているときに、前記付与情報の表示を制限可能であり、
前記表示用データ記憶制御手段は、遊技機への電力供給が開始されてから前記表示用データ記憶手段に初期表示点滅用データを記憶することで前記情報表示手段にて初期表示点滅を実行させ、該初期表示点滅の終了後に前記特定表示に対応する表示用データを前記表示用データ記憶手段に記憶し、前記特定表示による報知が終了した後に、前記付与情報記憶手段に記憶されている付与情報に対応する表示用データを前記表示用データ記憶手段に記憶する、
ことを特徴とする遊技機。
【手続補正２】
【補正対象書類名】明細書
【補正対象項目名】０００６
【補正方法】変更
【補正の内容】
【０００６】
（Ａ）遊技媒体を用いた遊技が可能な遊技機であって、
遊技の進行に応じて遊技媒体を付与する遊技媒体付与手段と、
前記遊技媒体付与手段によって付与された遊技媒体の数に関する付与情報を表示可能な情報表示手段と、
前記付与情報を記憶可能な手段であって、遊技機への電力供給が停止しても記憶内容を保持可能な付与情報記憶手段と、
前記情報表示手段に表示するための表示用データを記憶可能な表示用データ記憶手段と、
前記表示用データ記憶手段における表示用データの記憶を制御する表示用データ記憶制御手段と、
遊技を制御可能な手段であって、特定事象の発生に応じて遊技が不能な遊技不能状態に制御可能な遊技制御手段と、
を備え、
前記情報表示手段は、
遊技機への電力供給が開始されてから所定期間に亘って該電力供給が開始されたことを報知する表示であって、前記付与情報の表示と異なる特定表示を表示可能であり、
前記遊技不能状態に制御されているときに、前記付与情報の表示を制限可能であり、
前記表示用データ記憶制御手段は、遊技機への電力供給が開始されてから前記表示用データ記憶手段に初期表示点滅用データを記憶することで前記情報表示手段にて初期表示点滅を実行させ、該初期表示点滅の終了後に前記特定表示に対応する表示用データを前記表示用データ記憶手段に記憶し、前記特定表示による報知が終了した後に、前記付与情報記憶手段に記憶されている付与情報に対応する表示用データを前記表示用データ記憶手段に記憶する、
ことを特徴とする遊技機。
前記課題を解決するために、本発明の手段１に記載の遊技機は、
遊技媒体を用いた遊技が可能な遊技機（例えば、パチンコ遊技機１）であって、
遊技の進行に応じて遊技媒体を付与する遊技媒体付与手段（例えば、遊技球が第１始動入賞口や第２始動入賞口に入賞したことにもとづいて３個の賞球が払い出される部分や、遊技球が一般入賞口１０入賞したことにもとづいて１０個の賞球が払い出される部分や、遊技球が大入賞口に入賞したことにもとづいて１４個の賞球が払い出される部分）と、  前記遊技媒体付与手段によって付与された遊技媒体の数に関する付与情報（例えば、ベース値）を表示可能な情報表示手段（例えば、表示モニタ２０７ＳＧ０２９）と、
前記付与情報を記憶可能な手段であって、遊技機への電力供給が停止しても記憶内容を保持可能な付与情報記憶手段（例えば、ＲＡＭ１０２）と、
前記情報表示手段に表示するための表示用データを記憶可能な表示用データ記憶手段（例えば、表示用バッファ０１１ＳＧ１０５ａ）と、
前記表示用データ記憶手段における表示用データの記憶を制御する表示用データ記憶制御手段（例えば、ＬＥＤセグメント駆動制御回路０１１ＳＧ１０５）と、
を備え、
前記情報表示手段は、遊技機への電力供給が開始されてから所定期間に亘って該電力供給が開始されたことを報知する表示であって、前記付与情報の表示とは異なる特定表示（例えば、表示モニタ２０７ＳＧ０２９を構成する全セグメントの点滅）を表示可能であり、
前記表示用データ記憶制御手段は、遊技機への電力供給が開始されて前記特定表示による報知が実行される前において前記特定表示に対応する表示用データを前記表示用データ記憶手段に記憶し、前記特定表示による報知が終了した後に、前記付与情報記憶手段に記憶されている付与情報に対応する表示用データを前記表示用データ記憶手段に記憶する（例えば、図９−５（Ａ）に示すように、ＬＥＤセグメント駆動制御回路０１１ＳＧ１０５は、表示モニタ２０７ＳＧ０２９を構成する全セグメントを点滅させるための初期表示点滅用データを表示用バッファ０１１ＳＧ１０５ａにセットした後、更に初期表示点滅用データをセットした場合と同一態様にて表示モニタ２０７ＳＧ０２９を構成する全セグメントを点滅させるためのコールとスタート点滅用データを表示用バッファ０１１ＳＧ１０５ａにセットすることによって約５秒間に亘って表示モニタ２０７ＳＧ０２９を構成する全セグメントを点滅させる。その後、ベース値のデータを表示用バッファ０１１ＳＧ１０５ａにセットすることによって表示モニタ２０７ＳＧ０２９においてベース値の表示を開始する部分）ことを特徴としている。
この特徴によれば、特定表示による報知が実行される前に、付与情報の表示が実行されて、特定表示による報知が解り難くなってしまうことを防ぐことができる。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
突起部を有する振動子と、
前記振動子と当接して相対移動する摩擦部材と、
複数の弾性部材を用いて前記振動子を前記摩擦部材に対して加圧する加圧機構と、
前記振動子を保持する第１の保持部材と、
前記第１の保持部材を保持し、前記第１の保持部材と一体的に移動する第２の保持部材と、
前記第１の保持部材の前記相対移動の方向の移動範囲を規定する第１の規制領域と、
前記第２の保持部材の前記相対移動の方向の移動範囲を規定する第２の規制領域と、
を備え、
前記相対移動の際に前記第１の規制領域と当接する前記第１の保持部材の第１の当接領域と、前記相対移動の際に前記第２の規制領域と当接する前記第２の保持部材の第２の当接領域とは、前記相対移動の方向における位置がずれており、
前記相対移動の方向において、前記第１の当接領域から前記第１の規制領域までの距離と前記第２の当接領域から前記第２の規制領域までの距離との差が、前記第１の当接領域の位置と前記第２の当接領域の位置との差よりも小さくなるように、前記第１の規制領域と前記第２の規制領域とは、前記相対移動の方向における位置がずれていることを特徴とする、振動波モータ。
【請求項２】
前記第２の当接領域は、前記第１の当接領域よりも前記振動子から離れた位置に設けられることを特徴とする、請求項１に記載の振動波モータ。
【請求項３】
前記第２の当接領域は、前記第１の当接領域に対して前記相対移動の方向及び加圧方向と直交する方向にずれた位置に設けられることを特徴とする、請求項１又は２に記載の振動波モータ。
【請求項４】
前記振動波モータは、前記摩擦部材を保持する第３の保持部材を備え、
前記摩擦部材は、固定手段によって前記第３の保持部材に固定され、
前記相対移動する前記相対移動の方向から見たときに、前記第１の当接領域は前記固定手段と重なり合うことを特徴とする、請求項１乃至３のいずれか１項に記載の振動波モータ。
【請求項５】
前記第１の当接領域及び前記第２の当接領域は、前記第３の保持部材に備えられていることを特徴とする、請求項４に記載の振動波モータ。
【請求項６】
前記第１の当接領域の少なくとも一部と、前記第２の当接領域の少なくとも一部が、前記加圧機構の加圧方向と直交する所定の平面内に位置することを特徴とする、請求項１乃至５のいずれか１項に記載の振動波モータ。
【請求項７】
前記第２の保持部材は、転動部材と前記相対移動の方向に付勢力を有する付勢部材とを介して前記第１の保持部材を保持することを特徴とする、請求項１乃至６のいずれか１項に記載の振動波モータ。
【請求項８】
前記相対移動の方向において、前記第１の規制領域の位置と前記第２の規制領域の位置との差は、前記第１の当接領域の位置と前記第２の当接領域の位置との差と略等しいことを特徴とする、請求項１乃至７のいずれか１項に記載の振動波モータ。
【請求項９】
前記振動波モータは、超音波領域の周波数の振動を発生する超音波モータであることを特徴とする、請求項１乃至８のいずれか１項に記載の振動波モータ。
【請求項１０】
被駆動部材を有し、前記振動子と前記摩擦部材の前記相対移動によって、前記被駆動部材が移動することを特徴とする、請求項１乃至９のいずれか１項に記載の振動波モータを有する駆動装置。
【請求項１１】
前記被駆動部材はレンズであって、
前記振動子と前記摩擦部材の前記相対移動によって、前記レンズが光軸方向に移動することを特徴とする請求項１０に記載の駆動装置。
【手続補正２】
【補正対象書類名】明細書
【補正対象項目名】０００６
【補正方法】変更
【補正の内容】
【０００６】
上記の課題を解決するために、振動波モータは、突起部を有する振動子と、前記振動子と当接して相対移動する摩擦部材と、複数の弾性部材を用いて前記振動子を前記摩擦部材に対して加圧する加圧機構と、前記振動子を保持する第１の保持部材と、前記第１の保持部材を保持し、前記第１の保持部材と一体的に移動する第２の保持部材と、前記第１の保持部材の前記相対移動の方向の移動範囲を規定する第１の規制領域と、前記第２の保持部材の前記相対移動の方向の移動範囲を規定する第２の規制領域と、を備え、前記相対移動の際に前記第１の規制領域と当接する前記第１の保持部材の第１の当接領域と、前記相対移動の際に前記第２の規制領域と当接する前記第２の保持部材の第２の当接領域とは、前記相対移動の方向における位置がずれており、前記相対移動の方向において、前記第１の当接領域から前記第１の規制領域までの距離と前記第２の当接領域から前記第２の規制領域までの距離との差が、前記第１の当接領域の位置と前記第２の当接領域の位置との差よりも小さくなるように、前記第１の規制領域と前記第２の規制領域とは、前記相対移動の方向における位置がずれていることを特徴とする。
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
両親媒性分子の二分子膜から構成されるベシクルを用いて細胞を培養する方法であって、
前記細胞が封入された前記ベシクルを作製する工程と、
両親媒性分子から構成される平面二分子膜で表面が覆われた基板上に、固定化手段を介して前記ベシクルを固定する工程と、
前記ベシクル内で前記細胞を培養する工程と
を含む、培養方法。
【請求項２】
請求項１に記載の培養方法であって、
前記ベシクルの内水相が外水相に対して比重が高くなるように調製される、培養方法。
【請求項３】
請求項１または２に記載の培養方法であって、
前記ベシクルの直径が１〜１００μｍの範囲内にあるものを含む、培養方法。
【請求項４】
請求項１〜３のいずれか一項に記載の培養方法であって、
前記ベシクルの前記基板上への固定化手段が、ビオチン結合性タンパク質およびアビジン結合性タンパク質の組み合わせ、または、相補的なオリゴヌクレオチドの組み合わせである、培養方法。
【請求項５】
請求項１〜４のいずれか一項に記載の培養方法であって、
前記ベシクルが前記細胞を一細胞単位で含む、培養方法。
【請求項６】
請求項１〜５のいずれか一項に記載の培養方法であって、
前記ベシクルの前記基板上への固定が、疎水性オリゴヌクレオチドと当該疎水性オリゴヌクレオチドに相補性を有するリンカーオリゴヌクレオチドとを介して固定されるものではない、培養方法。
【請求項７】
請求項１〜６のいずれか一項に記載の培養方法であって、
前記ベシクルの前記基板上への固定化手段が、ビオチン結合性タンパク質およびアビジン結合性タンパク質である、培養方法。
【請求項８】
請求項１〜６のいずれか一項に記載の培養方法であって、
前記ベシクルの前記基板上への固定が、前記平面二分子膜上のビオチンと、前記ベシクルを構成する二分子膜上のビオチンと、前記２つのビオチンの両方に結合するアビジンを介して行われる、培養方法。
【請求項９】
請求項１〜８のいずれか一項に記載の培養方法であって、
前記培養工程が、前記ベシクルの内水相および／または外水相の環境を変化させながら培養することを含む、培養方法。
【請求項１０】
請求項１〜９のいずれか一項に記載の培養方法であって、
前記培養工程が、リアルタイムに前記細胞の増殖を観察しながら培養を行う工程であって、所望の状態となるまで前記細胞を培養する工程である、培養方法。
【請求項１１】
請求項１〜１０のいずれか一項に記載の培養方法であって、
前記細胞が、ベシクルへの封入前に前培養したものである、培養方法。
【請求項１２】
請求項１〜１１のいずれか一項に記載の培養方法であって、
前記細胞を培養する工程が１時間以上培養を行う工程である、培養方法。
【請求項１３】
請求項１〜１２のいずれか一項に記載の培養方法に用いるキットであって、
（１）ベシクルおよび／または平面二分子膜を構成するための両親媒性分子と
（２）前記ベシクルを平面二分子膜上に固定するための手段と
を含む、キット。
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
電圧が、基準電位である第１の電源ラインと
電圧が、前記基準電位に対して高電位の直流電圧である第２の電源ラインと、
前記第２の電源ラインに電圧を出力する複数の太陽電池ストリングと、
前記第２の電源ラインの電圧が所定の電圧以下であるときに前記第２の電源ラインにおける電圧の低下に応じて増加し、当該電圧の上昇に応じて減少するデューティ比を有するパルス波である最初のＰＷＭ信号を出力し、順次前段のＰＷＭ信号が所定のデューティ比以上であるときに前記第２の電源ラインにおける電圧の低下に応じて増加し、当該電圧の上昇に応じて減少するデューティ比を有するパルス波である各ＰＷＭ信号を出力する制御部と、
前記各太陽電池ストリングの出力と前記第２の電源ラインとの間にそれぞれ設置されており、前記制御部によって生成された各ＰＷＭ信号によって個々に開閉が制御される複数のスイッチと、
を備えることを特徴とする太陽光発電システム。
【請求項２】
前記制御部が、
前記第２の電源ラインの電圧が低下すると上昇し、前記第２の電源ラインの電圧が上昇すると低下するモニタ電圧を生成するモニタ電圧生成部と、
前記モニタ電圧生成部によって生成されるモニタ電圧が所定の電圧以上であるときに前記モニタ電圧の上昇に応じて最初の制御電圧を上昇させ、前記モニタ電圧の低下に応じて当該最初の制御電圧を低下させ、順次前段の制御電圧が所定の電圧以上であるときに前記モニタ電圧の上昇に応じて各制御電圧を上昇させ、前記モニタ電圧の低下に応じて当該各制御電圧を低下させる制御電圧生成部と、
前記制御電圧生成部から出力される各制御電圧に応じたデューティ比を有する前記各ＰＷＭ信号を生成するＰＷＭ信号生成部と、
を含む、
ことを特徴とする請求項１に記載の太陽光発電システム。
【請求項３】
１つ以上の前記太陽電池ストリングが出力する電圧を、前記第２の電源ラインの電圧より高く、かつ前記第２の電源ラインの電圧との差が一定である電圧に変換する絶縁型のＤＣ／ＤＣコンバータを含み、当該変換された電圧を出力する定電圧電源を備え、
前記制御部が、前記定電圧電源が出力する電圧と前記第２の電源ラインの電圧との差である電圧によって動作する、
ことを特徴とする請求項２に記載の太陽光発電システム。
【請求項４】
前記制御部が、前記定電圧電源が電圧を出力し始めてから所定の時間が経過するまで前記モニタ電圧出力部によって出力されるモニタ電圧を低下させるスロースタート部を含むことを特徴とする請求項３に記載の太陽光発電システム。
【請求項５】
前記制御電圧生成部が、
エミッタフォロワであるＮＰＮバイポーラトランジスタを含み、当該ＮＰＮバイポーラトランジスタのベースに前記モニタ電圧生成部によって生成されたモニタ電圧が入力され、エミッタにモニタ電圧が生じるモニタ電圧強化回路と、
ベースに調整電圧が入力され、コレクタに前記各制御電圧が生じるＰＮＰバイポーラトランジスタを含む複数段の制御電圧生成回路であって、１段目の当該制御電圧生成回路に含まれるＰＮＰバイポーラトランジスタのエミッタには前記モニタ電圧強化回路に含まれるＮＰＮバイポーラトランジスタのエミッタに生じるモニタ電圧が入力され、２段目以降の当該制御電圧生成回路に含まれるＰＮＰバイポーラトランジスタのエミッタには前段の制御電圧生成回路に含まれるＰＮＰバイポーラトランジスタのコレクタに生じる制御電圧が入力される制御電圧生成回路と、
前記モニタ電圧強化回路に含まれるＮＰＮバイポーラトランジスタのエミッタに生じるモニタ電圧の変動に応じて前記各制御電圧生成回路に含まれるＰＮＰバイポーラトランジスタのエミッタ・コレクタ間が導通または非導通となるように、前記調整電圧を生成するベース電圧調整回路と、
を備える、
ことを特徴とする請求項３または４に記載の太陽光発電システム。
【請求項６】
前記ＰＷＭ信号生成部が、
三角波電圧を出力する三角波生成回路と、
前記制御電圧生成部から出力される前記各制御電圧を個々に前記三角波電圧と比較し、前記各制御電圧が前記三角波電圧より高いときに前記各スイッチが閉じるレベルとなり、前記各制御電圧が前記三角波電圧より低いときに前記各スイッチが開くレベルとなる前記ＰＷＭ信号を出力する複数のコンパレータと、
を備える、
ことを特徴とする請求項３ないし５のいずれか１項に記載の太陽光発電システム。
【請求項７】
前記各スイッチが、ＮＭＯＳトランジスタを含み、前記各ＰＷＭ信号が当該ＮＭＯＳトランジスタのゲートに入力されることを特徴とする請求項３ないし６のいずれか１項に記載の太陽光発電システム。
【請求項８】
前記各スイッチが、前記ＮＭＯＳトランジスタに直列接続されたリアクトルを有することを特徴とする請求項７に記載の太陽光発電システム。
【請求項９】
前記各太陽電池ストリングにおいて、グランドが前記第１の電源ラインに接続され、出力が前記スイッチを介して前記第２の電源ラインに接続されている、
ことを特徴とする請求項１ないし８のいずれか１項に記載の太陽光発電システム。
【請求項１０】
前記最初のＰＷＭ信号によって開閉が制御されるスイッチを介して出力が前記第２の電源ラインに接続された最初の太陽電池ストリングにおいて、グランドが前記第１の電源ラインに接続され、
前記最初の太陽電池ストリングを除き、前段の太陽電池ストリングの出力が次段の太陽電池ストリングのグランドに接続され、
出力電圧が最も高い最終段の太陽電池ストリングを除く各太陽電池ストリングにおいて、直列に接続された逆流防止ダイオードと前記スイッチとを介して出力が前記第２の電源ラインに接続される、
ことを特徴とする請求項１ないし８のいずれか１項に記載の太陽光発電システム。
【請求項１１】
前記各太陽電池ストリングにおいて、グランドから出力に電流が流れる向きにダイオードが接続されていることを特徴とする請求項１０に記載の太陽光発電システム。
【手続補正２】
【補正対象書類名】明細書
【補正対象項目名】００１１
【補正方法】変更
【補正の内容】
【００１１】
好ましくは、本発明の太陽光発電システムは、
前記各スイッチが、ＮＭＯＳトランジスタを含み、前記各ＰＷＭ信号が当該ＮＭＯＳトランジスタのゲートに入力されることを特徴とする。
好ましくは、本発明の太陽光発電システムは、前記各スイッチが、前記ＮＭＯＳトランジスタに直列接続されたリアクトルを有することを特徴とする
【手続補正書】
【提出日】令和3年4月21日(2021.4.21)
【手続補正１】
【補正対象書類名】特許請求の範囲
【補正対象項目名】全文
【補正方法】変更
【補正の内容】
【特許請求の範囲】
【請求項１】
制御回路と、複数のメモリセルと、を有し、
前記複数のメモリセルのそれぞれは、トランジスタと、容量素子と、を有し、
前記トランジスタは、ゲートと、バックゲートと、を有し、
前記トランジスタの半導体層は金属酸化物を含み、
前記制御回路は、前記トランジスタの前記ゲートに供給する電位を、第１電位、第２電位、または第３電位から選択する機能を有し、
前記第１電位は、前記トランジスタをオン状態にする電位であり、
前記第２電位および前記第３電位は、前記トランジスタをオフ状態にする電位であり、
前記第２電位は、前記第３電位より高い電位である、記憶装置。
【請求項２】
制御回路と、複数のメモリセルと、を有し、
前記複数のメモリセルのそれぞれは、トランジスタと、容量素子と、を有し、
前記トランジスタは、ゲートと、バックゲートと、を有し、
前記トランジスタのソースまたはドレインの一方は前記容量素子と電気的に接続され、
前記トランジスタのソースまたはドレインの他方はビット線と電気的に接続され、
前記ゲートはワード線と電気的に接続され、
前記制御回路は、前記ワード線に第１電位を供給して、前記ビット線から前記容量素子に電荷を供給する機能と、前記ワード線に第２電位または第３電位を供給して、前記電荷を保持する機能と、を有し、
前記第２電位は、前記第３電位より高い電位である、記憶装置。
【請求項３】
請求項１において、
前記第２電位は、前記電荷の保持時間が１時間以上になる電位である、記憶装置。
【請求項４】
請求項１または請求項２において、
前記第３電位は、前記電荷の保持時間が１０年以上になる電位である、記憶装置。
【請求項５】
請求項１乃至請求項４のいずれか一項において、
前記バックゲートに負バイアスが供給されている、記憶装置。
【請求項６】
請求項１乃至請求項５のいずれか一項において、
前記金属酸化物は、インジウムおよび亜鉛のうち、少なくとも一方を含む、記憶装置。
【請求項７】
複数の記憶ブロックを有し、
前記複数の記憶ブロックは、それぞれが複数のメモリセルを有し、
前記複数のメモリセルのそれぞれは、トランジスタと、容量素子と、を有し、
前記トランジスタは、ゲートと、バックゲートと、を有し、
前記トランジスタの半導体層は金属酸化物を含み、
前記記憶ブロックは、複数の動作モードで動作する機能を有する、記憶装置。
【請求項８】
請求項７において、
前記動作モードは、前記ゲートに供給する電位と前記バックゲートに供給する電位の組み合わせで決定される、記憶装置。
【請求項９】
請求項７または請求項８において、
前記複数の動作モードの１つは、メモリセルの動作速度を高める動作モードである、記憶装置。
【請求項１０】
請求項９において、
前記複数の動作モードの他の１つは、メモリセルの保持時間を長くする動作モードである、記憶装置。
【請求項１１】
請求項７乃至請求項１０のいずれか一項において、
前記金属酸化物は、インジウムおよび亜鉛のうち、少なくとも一方を含む、記憶装置。
【請求項１２】
複数の記憶ブロックを有し、
前記複数の記憶ブロックは、それぞれが複数のメモリセルを有し、
前記複数のメモリセルのそれぞれは、トランジスタと、容量素子と、を有し、
前記トランジスタは、ゲートと、バックゲートと、を有し、
前記トランジスタの半導体層は金属酸化物を含み、
前記複数の記憶ブロックは、第１動作モードで動作する第１記憶ブロックと、第２動作モードで動作する第２記憶ブロックと、を有する、記憶装置。
【請求項１３】
請求項１２において、
前記第１動作モードは、メモリセルの動作速度を高める動作モードである、記憶装置。
【請求項１４】
請求項１２または請求項１３において、
前記第２動作モードは、メモリセルの保持時間を長くする動作モードである、記憶装置。
【請求項１５】
請求項１２乃至請求項１４のいずれか一項において、
前記金属酸化物は、インジウムおよび亜鉛のうち、少なくとも一方を含む、記憶装置。